(57)【要約】【課題】  表面の略全体を化粧板で覆うことができる床用目地プレート及びこの床用目地プレートを用いた床用目地装置を提供すること。【解決手段】  目地プレート本体と、該目地プレート本体の一端部側に下方に突出するように設けられ、かつ、底面にピン挿入孔を備えるピンボックスと、前記目地プレート本体の内部に充填される充填部材と、前記目地プレート本体の上面の略全体に設けられた化粧板とで構成される。【選択図】  図１
2018193714.tif 000002
【特許請求の範囲】
【請求項１】
目地プレート本体と、該目地プレート本体の一端部側に下方に突出するように設けられ、かつ、底面にピン挿入孔を備えるピンボックスと、前記目地プレート本体の内部に充填される充填部材と、前記目地プレート本体の上面の略全体に設けられた化粧板とで構成される床用目地プレート。
【請求項２】
前記床用目地プレートは、前記目地プレート本体の他端部側にヒンジ部材を介してカバープレートを備えることを特徴とする請求項１記載の床用目地プレート。
【請求項３】
左右の躯体間の目地部を塞ぐ床用目地装置であって、一方の躯体に設けられた第１の目地プレート支持部と、他方の躯体に設けられた第２の目地プレート支持部と、前記第１の目地プレート支持部に設けられた枢支ピンと、該枢支ピンがピンボックスに挿入されるとともに、前記第１の目地プレート支持部に一端部が支持され、かつ、前記第２の目地プレート支持部に他端部が支持された床用目地プレートとからなり、
前記床用目地プレートは、目地プレート本体と、該目地プレート本体の一端部側に下方に突出するように設けられ、かつ、底面にピン挿入孔を備える前記ピンボックスと、前記目地プレート本体の内部に充填される充填部材と、前記目地プレート本体の上面の略全体に設けられた化粧板とで構成される床用目地装置。
【請求項４】
前記床用目地プレートは、前記目地プレート本体の他端部側にヒンジ部材を介してカバープレートを備えることを特徴とする請求項３記載の床用目地装置。
【発明の詳細な説明】
【技術分野】
【０００１】
本発明は目地部を介して設けられた躯体の間の目地部を塞ぐ床用目地装置及び床用目地装置に用いられる床用目地プレートに関する。
【背景技術】
【０００２】
従来、このような床用目地プレートや床用目地プレートを用いた床用目地装置は多々存在するが、例えば特許文献１の床用目地プレート等でも、床用目地プレートの一端部側の両側に枢支ピンを挿入するためのピンボックスが設けられており、このピンボックスは上面に蓋体を有している。この蓋体が表面に露出しているため、床用目地プレートの上面に化粧板等を設けても蓋体の質感等が化粧板等と異なり見栄えが悪くなるという欠点があった。
【先行技術文献】
【特許文献】
【０００３】
【特許文献１】特許第６０５１２６８号公報
【発明の概要】
【発明が解決しようとする課題】
【０００４】
本発明は以上のような従来の欠点に鑑み、表面の略全体を化粧板で覆うことができる床用目地プレート及びこの床用目地プレートを用いた床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明の床用目地プレートは、目地プレート本体と、該目地プレート本体の一端部側に下方に突出するように設けられ、かつ、底面にピン挿入孔を備えるピンボックスと、前記目地プレート本体の内部に充填される充填部材と、前記目地プレート本体の上面の略全体に設けられた化粧板とで構成されることを特徴とする。
【０００７】
また、本発明の床用目地装置は、左右の躯体間の目地部を塞ぐ床用目地装置であって、一方の躯体に設けられた第１の目地プレート支持部と、他方の躯体に設けられた第２の目地プレート支持部と、前記第１の目地プレート支持部に設けられた枢支ピンと、該枢支ピンがピンボックスに挿入されるとともに、前記第１の目地プレート支持部に一端部が支持され、かつ、前記第２の目地プレート支持部に他端部が支持された床用目地プレートとからなり、前記床用目地プレートは、目地プレート本体と、該目地プレート本体の一端部側に下方に突出するように設けられ、かつ、底面にピン挿入孔を備える前記ピンボックスと、前記目地プレート本体の内部に充填される充填部材と、前記目地プレート本体の上面の略全体に設けられた化粧板とで構成されることを特徴とする。
【発明の効果】
【０００８】
以上の説明から明らかなように、本発明にあっては次に列挙する効果が得られる。
（１）請求項１及び請求項３に記載の各発明においては、ピンボックスが目地プレート本体の一端部側に下方に突出するように設けられているので、ピンボックスの上方も化粧板で覆うことができる。
したがって、目地プレート本体の上面の略全体に化粧板を配置することができる。
（２）目地プレート本体の上面の略全体に化粧板を配置することができるので、ピンボックスの上面が化粧板で隠されるので、意匠的に優れた目地プレートとすることができる。
（３）請求項２及び請求項４に記載の各発明においても、前記（１）〜（２）と同様な効果が得られるとともに、カバープレートによって段差等を解消することができる。
【図面の簡単な説明】
【０００９】
図１乃至図８は本発明の第１の実施形態を示す説明図である。
図９乃至図１３は本発明の第２の実施形態を示す説明図である。
【図１】第１の実施形態を示す床用目地プレートの斜視説明図。
【図２】図１の２−２線に沿う断面図。
【図３】図１の３−３線に沿う断面図。
【図４】第１の実施形態を示す床用目地装置の平面図。
【図５】図４の５−５線に沿う断面図。
【図６】地震で目地部が狭くなった正面視側からの動作説明図。
【図７】地震で目地部が広くなった正面視側からの動作説明図。
【図８】第２の実施形態を示す床用目地プレートの斜視説明図。
【図９】図８の９−９線に沿う断面図。
【図１０】図８の１０−１０線に沿う断面図。
【図１１】第２の実施形態を示す床用目地装置の斜視説明図。
【図１２】図１１の１２−１２線に沿う断面図。
【発明を実施するための形態】
【００１０】
以下、図面に示す本発明を実施するための形態により、本発明を詳細に説明する。
図１乃至図７に示す本発明を実施するための第１の形態において、１は目地部２を介して設けられた一方の躯体３及び他方の躯体４間に設置された床用目地装置５に用いられる床用目地プレートである。
【００１１】
なお、左右方向とは図４（平面視）における左右方向であり、前後方向とは図４における上下方向、上下方向とは図５における上下方向をいう。
【００１２】
また、本発明において躯体とは、建物、道路、スラブ、エレベーターシャフト等の床用目地プレートを設置可能な建造物をいい、出入口とはドアや扉の設けられた出入口だけではなく、人や車両等が通行できる通路も含むものである。
【００１３】
本実施形態の床用目地プレート１は、図１乃至図３に示すように、浅皿状の目地プレート本体６と、該目地プレート本体６の一端部６ａ側に下方に突出するように設けられ、かつ、底面にピン挿入孔７を備えるピンボックス８と、前記目地プレート本体６の内部に充填される充填部材９と、目地プレート本体６の上面の略全体に設けられた化粧板１０と、目地プレート本体６の他端部６ｂ側にヒンジ部材１１を介してカバープレート１２で構成されている。
【００１４】
目地プレート本体６は、金属製で平面視略長方形状に形成されており、上面が開口する浅皿状（略箱状）となっている。この目地プレート本体６の一端部６は、図２及び図３に示すように、下方に突出する突出部１３を有しており、この突出部１３の前後方向の両側部がピンボックス８となっている。
【００１５】
この突出部１３は、目地プレート本体６と一体的に形成してもよいし、この突出部１３部分を目地プレート本体６とは別に作成し、目地プレート本体６に溶接等で固定して突出部１３を形成してもよい。
【００１６】
このピンボックス８は、下面が開口する箱状に形成されており、この開口がピン挿入孔７となっている。このピンボックス８についても突出部１３と一体に設けてもよいし、突出部１３とは別体で作成し、突出部１３に溶接等でこていしてもよい。本実施形態では後者を採用している。
【００１７】
ピンボックス８が形成されていない部位の突出部１３には、充填部材９が充填される。
この目地プレート本体６の内部には、モルタルやコンクリート等の充填部材９が充填される。また、この充填部材９の上部には、目地プレート本体６の上面と略面一となるように、化粧板１０が貼り付けられている。この化粧板１０は目地プレート本体６の上面の略全体を覆うように設けられている。
【００１８】
また、この目地プレート本体６の一端部６ａ側の側面には、他端部側へ若干傾斜する傾斜面１４が形成されている。
【００１９】
前記床用目地装置５は、図４及び図５に示すように、一方の躯体３に設けられた第１の目地プレート支持部１５と、他方の躯体４に設けられた第２の目地プレート支持部１６と、前記第１の目地プレート支持部１５に設けられた枢支ピン１７と、該枢支ピン１７がピンボックス８に挿入されるとともに、前記第１の目地プレート支持部１５に一端部が支持され、かつ、前記第２の目地プレート支持部１６に他端部が支持された床用目地プレート１とで構成されている。
【００２０】
第１の目地プレート支持部１５は、例えば図５に示すように、一方の躯体３の端部に前後方向に延在する凹所状に形成されており、床用目地プレート１のピンボックス８に挿入される枢支ピン１７が固定されている。
【００２１】
なお、第１の目地プレート支持部１５は、本実施形態のように一方の躯体３に一体的に形成してもよいが、アングル状又はクランク状の金具を一方の躯体３の壁面にボルト等で固定し、この金具を第１の目地プレート支持部１５としてもよい。
【００２２】
前記枢支ピン１７の取り付け状態については、特に図示していないが、鉄板等に溶接により固定され、この鉄板をボルト等で第１の目地プレート支持部１５に固定される。
この第２の目地プレート支持部１６は、例えば図５に示すように、他方の躯体４の目地部２側の端部に形成された前後方向に延在する凹所状の部位で、目地部２と反対側の端部には、地震によって目地部２が狭くなった場合に、床用目地プレート１が乗り上げる乗り上げ傾斜面１８が形成されている。
【００２３】
床用目地プレート１は、その一端部が第１の目地プレート支持部１５に支持されると共に、その他端部が第２の目地プレート支持部１６に直接又は間接的に（支持プレートを介して）支持された状態で目地部２の前後方向に複数個隙間なく設けられている。
地震で躯体３、４が左右方向に揺れ動き目地部２が狭くなると、図６に示すように、床用目地プレート１は第２の目地プレート支持部１６の乗り上げ傾斜面１８を乗り上げて地震による揺れ動きを吸収する。
【００２４】
このとき、目地プレート本体６の一端部６ａ側の側面の上部側に傾斜面１３を設けているので、床用目地プレート１が回動しても目地プレート本体６の一端部６ａが一方の躯体３に衝突することを防止できる。
地震で躯体３、４が左右方向に揺れ動き目地部２が広くなると、図７に示すように、床用目地プレート１は第２の目地プレート支持部１６上を左右方向にスライド移動し、地震による揺れ動きを吸収することができる。
【００２５】
[発明を実施するための異なる形態]
次に、図８乃至図１２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図８乃至図１２に示す本発明を実施するための第２の形態において、前記本発明を実施するための第１の形態と主に異なる点は、ピンボックス８のみが下方へ突出する突出部１３Ａを備えた目地プレート本体６Ａを用いた床用目地プレート１Ａ及びこの床用目地プレート１Ａを用いた床用目地装置５Ａにしても、前記本発明を実施するための第１の形態と同様の作用効果を得ることができる。
【産業上の利用可能性】
【００２６】
本発明は床用目地装置を製造する産業で利用される。
【符号の説明】
【００２７】
１、１Ａ：床用目地プレート、        ２：目地部、
３：一方の躯体、                    ４：他方の躯体、
５：床用目地装置、                  ６、６Ａ：目地プレート本体、
７：ピン挿入孔、                    ８：ピンボックス、
９：充填部材、                      １０：化粧板、
１１：ヒンジ部材、                  １２：カバープレート、
１３：突出部、                      １４： 傾斜面、
１５：第１の目地プレート支持部、    １６：第２の目地プレート支持部、
１７：枢支ピン、                    １８：乗り上げ傾斜面。
【図１】
2018193714.tif 000003
【図２】
2018193714.tif 000004
【図３】
2018193714.tif 000005
【図４】
2018193714.tif 000006
【図５】
2018193714.tif 000007
【図６】
2018193714.tif 000008
【図７】
2018193714.tif 000009
【図８】
2018193714.tif 000010
【図９】
2018193714.tif 000011
【図１０】
2018193714.tif 000012
【図１１】
2018193714.tif 000013
【図１２】
2018193714.tif 000014